(57)【要約】簡易な機構によって水分や埃がケース内に流入するおそれの少ない調色機能付の照明装置を実現する。ケース部（２１）の内側において基板上に実装されたＬＥＤ光源（１７）と、位置に応じて塗布されている蛍光体の色が異なる構成であって、ケース部（２１）の内側においてＬＥＤ光源（１７）の上方に配置された外歯歯車状の蛍光体板（４１）と、内歯歯車状の構造であって蛍光体板（４１）の外歯と歯合するように配置された調整リング（４３）とを備え、調整リング（４３）はレンズドーム（１１）の下方において本体外周に位置するように配置されており、調整リング（４３）が回転操作されると蛍光体板（４１）上に塗布されている色分布とＬＥＤ光源（１７）との相対的位置関係が変化する。
2012017754.tif 000002
【特許請求の範囲】
【請求項１】
本体がケース部で覆われた照明装置であって、
前記ケース部の内側において基板上に実装された発光素子光源と、
位置に応じて塗布されている蛍光体の発光色が異なる構成であって、前記ケース部の内側において前記発光素子光源の上方に配置された可変色蛍光体部と、
前記可変色蛍光体部と機械的に連結した調色用調整部と、を備え、
前記調色用調整部は、前記可変色蛍光体部と反対側に位置する端部が前記ケース部の外側にはみ出すように形成されており、当該端部が操作されると前記可変色蛍光体部上に塗布されている蛍光体の色分布と前記発光素子光源との相対的位置関係を変化させる構成であることを特徴とする照明装置。
【請求項２】
前記発光素子光源から放射される光量に対する、照明装置外に実際に放射される光量を調整するための調光部と、
前記調光部と機械的に連結した調光用調整部とを備え、
前記調光用調整部は、前記可変色蛍光体部と反対側に位置する端部が前記ケース部の外側にはみ出すように形成されており、当該端部が操作されると前記調光部と前記発光素子光源との相対的位置関係を変化させる構成であることを特徴とする請求項１に記載の照明装置。
【請求項３】
塗布されている蛍光体の色分布が相互に異なる複数の前記可変色蛍光体部を備え、
複数の前記可変色蛍光体部は、夫々異なる前記調色用調整部と機械的に連結していることを特徴とする請求項１又は２に記載の照明装置。
【請求項４】
前記可変色蛍光体部は、蛍光体が塗布された蛍光体板と、前記蛍光体板と物理的に固定化され、時計回り又は反時計回りに回転可能な第１歯車とを有し、
前記調色用調整部は、時計回り又は反時計回りに回転可能な、前記第１歯車と歯合する第２歯車で構成されていることを特徴とする請求項１〜３の何れか１項に記載の照明装置。
【請求項５】
前記可変色蛍光体部は、扇子状に畳み込みが可能な複数の小領域で構成され、
前記調色用調整部は、移動可能なレバー状構造であって、移動操作がされることで、前記可変色蛍光体部に対して、畳み込まれた前記小領域を拡げ、若しくは拡げられた前記小領域を畳み込む動作を行うことを特徴とする請求項１〜３の何れか１項に記載の照明装置。
【請求項６】
前記可変色蛍光体部は、外歯歯車状の円板形状であり、中心部に設けられた固定軸を中心に時計回り又は反時計回りに回転可能に構成されており、
前記調色用調整部は、前記ケース部の外周に連結し、時計回り又は反時計回りに回転操作が可能な内歯歯車状の円環状構造であって、
前記可変色蛍光体部は、その外歯が前記調色用調整部の内歯と歯合するように配置されており、
前記調色用調整部が回転操作されることで、前記可変色蛍光体部が回転することを特徴とする請求項１〜３の何れか１項に記載の照明装置。
【請求項７】
前記可変色蛍光体部は、所定面上において正逆両方向に巻き取り可能なロールスクリーン形状を有して構成され、
前記調色用調整部は、時計回り又は反時計回りに回転操作可能なネジ部と、前記ケース部の内側に存在して当該ネジ部と前記可変色蛍光体部を連絡する巻き取り部とを有し、前記ネジ部が回転操作されることで、前記巻き取り部が回転して前記可変色蛍光体部の巻き取り動作を行うことを特徴とする請求項１〜３の何れか１項に記載の照明装置。
【発明の詳細な説明】
【技術分野】
【０００１】
本発明は、発光ダイオード（以下、適宜「ＬＥＤ」と略記）等の半導体発光素子を光源として用いる照明装置であり、特に調光機能を有する照明装置に関する。
【背景技術】
【０００２】
近年、照明装置の光源としてＬＥＤが多く用いられるようになってきている。ＬＥＤを使った照明装置において、白色光を得る方法の一つとして、赤色ＬＥＤ，青色ＬＥＤ，緑色ＬＥＤの３種類のＬＥＤを用いる方法がある。【０００３】
しかし、かかる方法によると、３種のＬＥＤ素子を必要とするため製造コストが高くなってしまう。このため、１種のＬＥＤ素子によって白色光を照射できる照明装置の開発も進められている。【０００４】
図８は、下記特許文献１に開示されているＬＥＤ照明装置の一例を示す模式図であり、（ａ）に正面図、（ｂ）に一部を切り欠いた平面図を示している。【０００５】
図８に示す従来の照明装置１０１は、ＬＥＤ素子（発光素子）１０５の上方に回転板１０２が設けられている。回転板１０２は、放射状に等間隔に並んだ複数の円形の貫通孔を有し、この貫通孔にはそれぞれ色の異なる蛍光体シート１０３が嵌め込まれている。特許文献１の例では、青色、緑色、黄色、オレンジ色、赤色の蛍光体シートで構成されている。【０００６】
回転板１０２は、一部分がケース１０６の外側に飛び出しており、利用者によって手動で回転させることが可能な構成となっている。同板は、軸１０４を中心として、時計回り、反時計回りのいずれの方向にも３６０°回転させることが可能な構成である。【０００７】
そして、回転板１０２が回転することで、ＬＥＤ素子１０５と各蛍光体シート１０３との相対的位置関係が変化し、これによって照明装置から放射される光の色温度を、「昼光色」→「昼白色」→「電球色」の順に、或いはその逆順に無段階で変化させることができる。
【先行技術文献】
【特許文献】
【０００８】
【特許文献１】特開２００７−０５９２６０号公報
【発明の概要】
【発明が解決しようとする課題】
【０００９】
特許文献１の技術では、回転板１０２と各色の蛍光体シートが一体となって回転する構成である。そして、回転板１０２がケース１０６の外側に突出しているため、この回転板１０２に水分や埃が付着することが予想される。この突出している部分は、回転されることでケース１０６内に移動するため、結果的に水分や埃がケース１０６内に流入して、光度の低下や、調色機能の低下を引き起こすおそれがある。これを防ぐためには、水分や埃がケース１０６内に流入しないよう複雑なシール機構を設けなければならず、製造プロセスの複雑化や、製造コストの上昇につながる。【００１０】
本発明は、上記の問題点に鑑み、簡易な機構によって水分や埃がケース内に流入するおそれの少ない調色機能付の照明装置を実現することを目的とする。
【課題を解決するための手段】
【００１１】
上記目的を達成すべく、本発明は、本体がケース部で覆われた照明装置であって、
前記ケース部の内側において基板上に実装された発光素子光源と、
位置に応じて塗布されている蛍光体の発光色が異なる構成であって、前記ケース部の内側において前記発光素子光源の上方に配置された可変色蛍光体部と、
前記可変色蛍光体部と機械的に連結した調色用調整部と、を備え、
前記調色用調整部は、前記可変色蛍光体部と反対側に位置する端部が前記ケース部の外側にはみ出すように形成されており、当該端部が操作されると前記可変色蛍光体部上に塗布されている蛍光体の色分布と前記発光素子光源との相対的位置関係を変化させる構成であることを特徴とする。【００１２】
また、本発明は、上記の特徴に加えて、前記発光素子光源から放射される光量に対する、照明装置外に実際に放射される光量を調整するための調光部と、
前記調光部と機械的に連結した調光用調整部とを備え、
前記調光用調整部は、前記可変色蛍光体部と反対側に位置する端部が前記ケース部の外側にはみ出すように形成されており、当該端部が操作されると前記調光部と前記発光素子光源との相対的位置関係を変化させる構成であることを別の特徴とする。【００１３】
また、本発明は、上記の特徴に加えて、塗布されている蛍光体の色分布が相互に異なる複数の前記可変色蛍光体部を備え、
複数の前記可変色蛍光体部は、夫々異なる前記調色用調整部と機械的に連結していることを別の特徴とする。【００１４】
本発明は、より詳細には以下の構成を備えることを特徴とする。すなわち、
前記可変色蛍光体部は、蛍光体が塗布された蛍光体板と、前記蛍光体板と物理的に固定化され、時計回り又は反時計回りに回転可能な第１歯車とを有し、
前記調色用調整部は、時計回り又は反時計回りに回転可能な、前記第１歯車と歯合する第２歯車で構成されている。【００１５】
また、以下の別構成を備えることを特徴とする。すなわち、
前記可変色蛍光体部は、扇子状に畳み込みが可能な複数の小領域で構成され、
前記調色用調整部は、移動可能なレバー状構造であって、移動操作がされることで、前記可変色蛍光体部に対して、畳み込まれた前記小領域を拡げ、若しくは拡げられた前記小領域を畳み込む動作を行う。【００１６】
また、以下の別構成を備えることを特徴とする。すなわち、
前記可変色蛍光体部は、外歯歯車状の円板形状であり、中心部に設けられた固定軸を中心に時計回り又は反時計回りに回転可能に構成されており、
前記調色用調整部は、前記ケース部の外周に連結し、時計回り又は反時計回りに回転操作が可能な内歯歯車状の円環状構造であって、
前記可変色蛍光体部は、その外歯が前記調色用調整部の内歯と歯合するように配置されており、
前記調色用調整部が回転操作されることで、前記可変色蛍光体部が回転する。【００１７】
また、以下の別構成を備えることを特徴とする。すなわち、
前記可変色蛍光体部は、所定面上において正逆両方向に巻き取り可能なロールスクリーン形状を有して構成され、
前記調色用調整部は、時計回り又は反時計回りに回転操作可能なネジ部と、前記ケース部の内側に存在して当該ネジ部と前記可変色蛍光体部を連絡する巻き取り部とを有し、前記ネジ部が回転操作されることで、前記巻き取り部が回転して前記可変色蛍光体部の巻き取り動作を行う。
【発明の効果】
【００１８】
本発明の構成によれば、調光機能を実現するための蛍光体が塗布された部分は完全にケース部の内側に収容できる。このため、シール機構等の専用の流入防御用部材を別途備えなくても、蛍光体内に水分や埃が流入するおそれがない。よって、製造コストを抑えつつ、水分や埃の流入に伴う調色機能の低下という事態を回避することができる。
【図面の簡単な説明】
【００１９】
【図１】本発明の第１実施形態のＬＥＤ照明装置
【図２】本発明の第１実施形態のＬＥＤ照明装置の別構成例
【図３】本発明の第２実施形態のＬＥＤ照明装置
【図４】本発明の第３実施形態のＬＥＤ照明装置
【図５】本発明の第３実施形態のＬＥＤ照明装置の別構成例
【図６】本発明の第４実施形態のＬＥＤ照明装置
【図７】本発明の第４実施形態のＬＥＤ照明装置の別構成例
【図８】従来のＬＥＤ照明装置
【図９】本発明の第５実施形態のＬＥＤ照明装置
【発明を実施するための形態】
【００２０】
本発明の照明装置の各実施形態につき、図面を参照して説明する。なお、以下の各実施形態では、いずれも光源がＬＥＤ素子であるものとして説明するが、ＬＥＤ素子に限らず他の半導体発光素子を利用するものとして良い。また、以下の各図で示される構造は、あくまで一例であり、同様の機能を有する範囲内において種々の設計変更が可能である。
【００２１】
［第１実施形態］
図１に第１実施形態の照明装置の概略構造を示す。（ａ）が正面図、（ｂ）が光源部分の上面図である。
【００２２】
照明装置１は、散乱材入りレンズドーム１１，光反射カバー１３，蛍光体板１５，蛍光体板移動用歯車１６，ＬＥＤ光源１７，調整用歯車１９，ケース部２１，樹脂板２３，及び口金２８を備える。ケース部２１は、本体部を覆う構成であり、また本実施例では放熱部を兼ねるものとする。なお、（ａ），（ｂ）の両図面とも、図示上の都合により全ての部材を図示しているわけではない。なお、蛍光体板移動用歯車１６は「第１歯車」に対応し、調整用歯車１９は「第２歯車」に対応する。
【００２３】
ＬＥＤ光源１７（「発光素子光源」に対応）は樹脂板２３上のほぼ中央部において、セラミックの基板上に搭載されている。一例として、青色ＬＥＤ素子が２０個直列に接続された直列回路を３列並列に並べたもので実現され、そのサイズを１５ｍｍ×１２ｍｍとする。そして、この回路の周囲を樹脂ダムで囲っており、樹脂ダム内には青色ＬＥＤ素子を覆うように透光性樹脂が重点されている。
【００２４】
光反射カバー１３は、レンズドーム１１内での光の減衰を防止し、発光色を整える機能を有している。
【００２５】
蛍光体板移動用歯車１６は、固定軸１８を中心に時計回り又は反時計回りに回転移動可能な構成である。そして、この歯車１６は、固定軸１８によって蛍光体板１５と物理的に一体化されている。つまり、歯車１６が時計回りに回転すると、これに連れて蛍光体板１５も固定軸１８を中心に時計回りに回転し、逆に歯車１６が反時計回りに回転すると、これに連れて蛍光体板１５も固定軸１８を中心に反時計回りに回転する構成である。本実施形態では、蛍光体板１５と蛍光体板移動用歯車１６とを含めたものによって「可変色蛍光体部」を実現している。
【００２６】
なお、固定軸１８は、蛍光体板１５上においては、中心位置ではなくやや端よりに位置している。
【００２７】
蛍光体板１５は、位置に応じて塗布されている蛍光体の色が異なる構成であり、この色分布とＬＥＤ光源１７との相対的位置関係が変化することで、照明装置１から外部に放射される光の色が変化する。そして、この蛍光体板１５自体は、ケース部２１の内側に収まっており、ケース部２１よりも外側に突出することはない。なお、図面上では長円形状としているが、この形状はどのようなものでも構わない。
【００２８】
調整用歯車１９は、一部がケース部２１よりも外側に突出しており、外部から手動操作が可能な構成となっている。そして、調整用歯車１９は、その凹凸の一部が蛍光体板移動用歯車１６の凹凸の一部と噛み合うような位置関係となるように（歯合するように）配置されている。調整用歯車１９が時計回り又は反時計回りに回転すると、両歯車の噛み合う位置がずれることで蛍光体板移動用歯車１６が調整用歯車１９とは反対方向に回転する。そして、これに伴って蛍光体板１５も回転移動する（矢印Ｄ１方向）。これにより、ＬＥＤ光源１７と蛍光体板１５上の色分布の相対的位置関係を変化させることができる。なお、本実施形態では、「調色用調整部」を調整用歯車１９によって実現している。
【００２９】
蛍光体板１５は、蛍光体の配合比率を場所に応じて変化させることで、位置に応じた色分布の変化を実現させている。例えば、Ｃａ３（Ｓｒ，Ｍｇ）２Ｓｉ３Ｏ１２：Ｃｅ（セリウム付加蛍光体）と蛍光体（Ｓｒ，Ｃａ）ＡｌＳｉＮ３：Ｅｕ（ユーロビウム付加蛍光体）の２種類の蛍光体を使用し、これらの配合比率を変化させることで発光色を変化させる構成とすることができる。
【００３０】
また、別の例としては、単純に蛍光体の含有量を一の方向に増加／減少させてグラデーションを設けることで、蛍光体板１５を実現することができる。黄色蛍光体の含有量を変化させて、ＬＥＤ光源１７からの放射光が通過する蛍光体板１５上の蛍光体量を変化させることで、本照明装置１の発光効率や明るさを調整することができる。また、赤色蛍光体と緑色蛍光体の含有量を変化させて同様の調整を行っても良い。この場合、演色性を重視した調整が可能となる。
【００３１】
かかる状態で、調整用歯車１９を時計回りに回転させることで、ＬＥＤ光源１７と蛍光体板１５上の色分布との相対的位置関係が変化し、その結果、照明装置１から放射される光の色が「昼光色」→「昼白色」→「白色」→「電球色」と順次変化させることができる。また、調整用歯車１９を反時計回りに回転させることで、前記とは逆の順序で照明装置１からの放射光色を変化させることができる。
【００３２】
本実施形態の構成によれば、ケース部２１の外部に突出しているのはあくまで調整用歯車１９の一部分であるため、調色機能を実現する蛍光体板１５の表面に水分や埃が付着するということがない。
【００３３】
また、本実施形態の構成発光素子としては青色ＬＥＤ素子のみを搭載すれば良く、調色機能も調整用歯車１９を手動で回転させることによって実現できる。このため、発光色の異なる複数のＬＥＤ素子を搭載し、各ＬＥＤ素子が配置の輝度を電気的に調整することで調光・調色機能を実現したＬＥＤ照明装置と比較して、製造コストを大幅に低廉化させることが可能となる。
【００３４】
ところで、ＬＥＤ光源を製造する際には、ＬＥＤ素子を蛍光体含有透光性樹脂で覆うことが通常であるが、このとき色度のズレやバラツキが生じる可能性がある。このような色度のズレやバラツキが生じたとしても、透光性樹脂を取り除いてＬＥＤ素子を再利用することはできないため、比較的高価なＬＥＤ素子が無駄となってしまう。
【００３５】
前記のように、発光色の異なるＬＥＤ素子を複数搭載し、各輝度を異ならせることで調色を行う照明装置の場合、各ＬＥＤ素子の色度のズレやバラツキが生じると、そのことが直接的に照明装置からの放射光に影響するため、もはや不良品扱いとなってしまう。これに対し、本実施形態の構成の場合、発光素子としては青色ＬＥＤ素子のみであり、調色機能はあくまで蛍光体板１５によって実現しているため、蛍光体板１５を管理しておくことで、調色機能を正しく奏する照明装置が実現でき、不良品率を低下させることができる。
【００３６】
なお、本実施形態の変形例として、蛍光体板１５に加えて、減光板２２、減光板移動用歯車２４、及び調整用歯車２０を備えることで、調色機能に加えて、調光機能も有した照明装置が実現できる（図２参照）。減光板２２及び減光板移動用歯車２４が「調光部」に対応し、調整用歯車２０が「調光用調整部」に対応する。
【００３７】
蛍光体板１５の場合と同様、減光板２２は固定軸２６において減光板移動用歯車２４と一体化されており、減光板移動用歯車２４は調整用歯車２０が回転操作されると、これに伴って固定軸２６を中心に反対方向に回転する構成である。そして、減光板移動用歯車２４の回転に連れて減光板２２も回転する構成である。また、減光板２２及び減光板移動用歯車２４は完全にケース部２１の内側に位置し、調整用歯車２０は、その一部がケース部２１の外側に突出するように構成されている。
【００３８】
減光板２２がＬＥＤ光源１７の相対的位置関係が変化することで、減光板２２によって光が覆われる領域が増え、この結果、照明装置１から外部に放射される光量が減少する。従って、外側に突出した調整用歯車２０の部分に触れて、回転操作を行うことで、照明装置１から放射される光量が調整され、調光機能を実現することができる。なお、減光板２２を、板上の場所に応じて透過率が変化するようグラデーションを設けた構成とすることによって調光機能を実現しても良い。
【００３９】
なお、図２では、調整用歯車２０を調整用歯車１９とは反対側に設けたが、同じ側において上下方向にずらして設けても良い。
【００４０】
更に別の変形例として、色態様の異なる蛍光体板１５を複数枚備えても良い。これにより、細かい調色が可能となる。なお、この場合、各蛍光体板１５を回転させるべく、個別に調整用歯車が必要となる。
【００４１】
［第２実施形態］
図３に第２実施形態の照明装置の概略構造を示す。（ａ）が正面図、（ｂ）が光源部分の上面図である。なお、本実施形態及び以下の各実施形態では、第１実施形態と異なる箇所のみ説明し、共通する箇所の説明は割愛する。
【００４２】
本実施形態及び以下の各実施形態は、第１実施形態と比較して、可変色蛍光体部及び調色用調整部の具体的な構造の点において異なっている。
【００４３】
本実施形態の照明装置１ａは、第１実施形態の照明装置１と比較して、蛍光体板１５の代わりに蛍光体ジャバラ３１を備え、調整用歯車１９の代わりに調整レバー２９を備える構成である。本実施形態では、蛍光体ジャバラ３１によって「可変色蛍光体部」を実現し、調整レバー２９によって「調色用調整部」を実現している。
【００４４】
蛍光体ジャバラ３１は、扇子状に畳み込みが可能な複数の小領域で構成されており、調整レバー２９を水平方向に移動させることで、蛍光体ジャバラ３１の各小領域を畳み込んだり、逆に畳み込まれた小領域を拡げたりすることができる。なお、本実施形態においても、蛍光体ジャバラ３１を拡げた状態で各場所に応じて異なる蛍光体の配合比率とすることで、場所に応じた異なる色分布を実現するものとして良い。
【００４５】
すなわち、調色を実行する場合には、調整レバー２９を移動させて蛍光体ジャバラ３１を開き、ＬＥＤ光源１７と蛍光体ジャバラ３１上の色分布との相対的位置関係を変更して行う。他方、調色を実行しない場合には、調整レバー２９を移動させて蛍光体ジャバラ３１を完全に閉じておく。これにより、第１実施形態の場合と比べて調色不実行時の蛍光体用収納領域を小さくすることができ、照明装置１ａを小型化できるという効果がある。
【００４６】
なお、本実施形態においても、調光用としての減光用ジャバラ（「調光部」に対応）及び当該減光用ジャバラを畳み込んだり拡げたりするための調整レバー（「調光用調整部」に対応）を別途追加的に備える構成としても良い。また、異なる色分布を有した蛍光体ジャバラを複数備える構成としても良い。これらの場合、それぞれのジャバラを操作するための調整レバーをジャバラの数だけ備えれば良い。
【００４７】
また、本実施形態では、調整レバー２９を水平方向に移動させる構成としたが、調整レバー２９の移動によってジャバラを拡げたり畳んだりすることのできる構造であれば、調整レバー２９の移動方向を水平方向に限定するものではない。
【００４８】
［第３実施形態］
図４に第３実施形態の照明装置の概略構造を示す。（ａ）が正面図、（ｂ）が光源部分の上面図である。
【００４９】
本実施形態の照明装置１ｂは、第１実施形態と比較して、蛍光体板１５の代わりに、ほぼ円板形状で外周部分に歯車状の凹凸を有する（外歯歯車状の）蛍光体板４１を備える。また、調整用歯車１９の代わりに、時計回り又は反時計回りに回転させることのできる調整リング４３を備える。調整リング４３は、レンズドーム１１の下側位置において、本体外周に位置するように配置されている。本実施形態では、蛍光体板４１によって「可変色蛍光体部」を実現し、調整リング４３によって「調色用調整部」を実現している。
【００５０】
調整リング４３は、内周部分に歯車状の凹凸を有した（内歯歯車状の）円環状構造であり、この凹凸と蛍光体板４１の凹凸が相互に噛み合うように、すなわち調整リング４３の内歯と蛍光体板４１の外歯が歯合するように配置されている。つまり、調整リング４３をＤ３方向に回転させると、これに連れて蛍光体板４１も回転する構成である。なお、蛍光体４１も、第１実施形態の蛍光体板１５と同様に、各場所に応じて異なる蛍光体の配合比率とすることで、場所に応じた異なる色分布を実現するものとして良い。
【００５１】
本実施形態によれば、調整リング４３を回転させることで、蛍光体板４１が回転し、ＬＥＤ光源１７と蛍光体板４１上の色分布との相対的位置関係が変化して、調色機能を発揮できる。そして、蛍光体板４１は、完全にケース部２１内に収められるため、この表面に水分や埃が付着するということがない。
【００５２】
なお、本実施形態においても、調光機能を実現するための板（減光板４２）を備える構成とすることができる（図５参照）。この場合、減光板４２を回転させるための調整リング４４を調整リング４３とは別に備える構成とする。なお、減光板４２が「調光部」に対応し、調整リング４４が「調光用調整部」に対応する。
【００５３】
また、色分布の異なる蛍光体板４１を複数備える構成とすることもできる。この場合も、蛍光体板４１の数に応じて調整リング４３を備えれば良い。
【００５４】
［第４実施形態］
図６に第４実施形態の照明装置の概略構造を示す。（ａ）が正面図、（ｂ）が光源部分の上面図である。
【００５５】
本実施形態の照明装置１ｃは、第１実施形態と比較して、蛍光体板１５の代わりに蛍光体ロール５１を備える。また、調整用歯車１９の代わりに調整ネジ５３を備える。そして、調整ネジ５３と蛍光体ロール５１を連絡する巻き取り部５４を備えている。本実施形態では、蛍光体ロール５１によって「可変色蛍光体部」を実現し、調整ネジ５３及び巻き取り部５４によって「調色用調整部」を実現している。
【００５６】
蛍光体ロール５１及び巻き取り部５４は、ケース部２１の内側に存在する。一方、調整ネジ５３はその一部をケース部２１の外側に突出させ、手動による操作が可能な構成となっている。
【００５７】
調整ネジ５３を回転させると、この回転に伴って巻き取り部５４も回転し、蛍光体ロール５１がこれに連れてＤ４方向に移動してロールスクリーンのように巻き取られる。この結果、ＬＥＤ光源１７と蛍光体ロール５１上の色分布の相対的位置関係が変化する。蛍光体ロール５１は、色分布の変化方向をＤ４方向にする点を除けば、その変化の仕方は各実施形態と同様とする。
【００５８】
一例としては、セリウム付加蛍光体とユーロビウム付加蛍光体の配合比率を、「昼光色」領域においては《1.1：1》とし、「昼白色」領域においては《2：1》とし、「白色」領域においては《4：1》とし、「電球色」領域においては《5：1》とし、このように配合比率を変化させた蛍光体の混合体をこの順に連続的にシリコーン樹脂に配合する。これによって、調整ネジ５３を回転させると、「昼光色」→「昼白色」→「白色」→「電球色」の順に（又はその逆順に）変化させることができる。なお、この構成におけるＲａ値（平均演色評価数）は約９０を実現した。
【００５９】
本実施形態によれば、調整ネジ５３を回転させることで、蛍光体ロール５１がＤ４方向に移動し、ＬＥＤ光源１７と蛍光体ロール５１上の色分布との相対的位置関係が変化して、調色機能を発揮できる。そして、蛍光体ロール５１は、完全にケース部２１内に収められるため、この表面に水分や埃が付着するということがない。
【００６０】
なお、本実施形態において、調光用の減光ロール５７を更に備える構成として、調色調光機能を実現可能な構成とすることも可能である（図７参照）。図７に示す構成は、Ｄ４方向に移動する蛍光体ロール５１に加えて、Ｄ５方向に移動する減光ロール５７を備えている。そして、減光ロール５７を巻き取るための巻き取り部５６、及び調整ネジ５５を備える。なお、減光ロール５７が「調光部」に対応し、調整ネジ５５及び巻き取り部５６が「調光用調整部」に対応する。調整ネジ５５を回転させて、減光ロール５７上の減光機能部分とＬＥＤ光源１７との相対的位置関係を変更させることで、調光機能を実現できる。調整ネジ５３と５５を両方回転させることで、調色・調光機能が実現できる。なお、図７では、図示の都合上、光源部分の上面図のみを図示した。
【００６１】
なお、色分布の異なる蛍光体ロール５１を複数備える構成とすることも可能である。
【００６２】
［第５実施形態］
図９に第５実施形態の照明装置の概略構造を示す。（ａ）が正面図、（ｂ）が光源部分の上面図である。
【００６３】
本実施形態の照明装置１ｄは、第１実施形態と比較して、スポットライト型の装置であり、レンズドーム１１の代わりに、平坦な形状のレンズ１１ａを備える。更に、本実施形態の照明装置１ｄは、第３実施形態と同様に、蛍光体板１５の代わりに、ほぼ円板形状で外周部分に歯車状の凹凸を有する（外歯歯車状の）蛍光体板４１を備える。また、調整用歯車１９の代わりに、時計回り又は反時計回りに回転させることのできる調整リング４３を備える。尚、調整リング４３及び蛍光体板４１の構成は、第３実施形態と同じである。
【００６４】
本実施形態によれば、調整リング４３を回転させることで、蛍光体板４１が回転し、ＬＥＤ光源１７と蛍光体板４１上の色分布との相対的位置関係が変化して、調色機能を発揮できる。そして、蛍光体板４１は、完全にケース部２１ａ内に収められるため、この表面に水分や埃が付着するということがない。
【００６５】
なお、本実施形態においても、調光機能を実現するための板（減光板４２）を備える構成とすることができる（図示せず）。また、色分布の異なる蛍光体板４１を複数備える構成とすることもできる。この場合も、蛍光体板４１の数に応じて調整リング４３を備えれば良い。
【００６６】
以上説明した各実施形態の構成によれば、いずれも調光機能を実現するための蛍光体を完全にケース部２１の内側に収めることができる。このため、シール機構等を別途備えなくても、蛍光体内に水分や埃が流入することがなく、調色機能の低下を招くことがない。
【００６７】
なお、上記実施形態では、いずれも一般電球形の構造を例示して説明したが、ボール形、スポットライト形、ミゼットレフ形、シャンデリア形等の他の形状の構造でも同様に実現が可能である。いずれの構造においても、可変色蛍光体（蛍光体板１５，蛍光体ジャバラ３１，蛍光体板４１，蛍光体ロール５１）をケース部２１の外側にはみ出すことなく形成し、可変色蛍光体上に塗布された蛍光体の色分布と光源との相対的位置関係を変更させるための調整部（調整用歯車１９，調整レバー２９，調整リング４３，調整ネジ５３）を備え、この調整部の可変色蛍光体と反対側の端部がケース部２１の外側にはみ出されて容易に操作可能な構造となっていれば、全て本発明の想定する範囲内である。
【符号の説明】
【００６８】
１，１ａ，１ｂ，１ｃ：    本発明の照明装置
１１：    レンズドーム
１１ａ：  レンズ
１３：    光反射カバー
１５：    蛍光体板
１６：    蛍光体板移動用歯車
１７：    ＬＥＤ光源
１８：    固定軸
１９：    調整用歯車
２０：    調整用歯車
２１：    ケース部
２１ａ：  ケース部
２２：    減光板
２３：    樹脂板
２４：    減光板移動用歯車
２６：    固定軸
２８：    口金
２９：    調整レバー
３１：    蛍光体ジャバラ
４１：    蛍光体板
４２：    減光板
４３：    調整リング
４４：    調整リング
５１：    蛍光体ロール
５３：    調整ネジ
５４：    巻き取り部
５５：    調整ネジ
５６：    巻き取り部
５７：    減光ロール
１０１：    従来の照明装置
１０２：    回転板
１０３：    蛍光体シート
１０４：    軸
１０５：    ＬＥＤ素子
１０６：    ケース
【図１】
2012017754.tif 000003
【図２】
2012017754.tif 000004
【図３】
2012017754.tif 000005
【図４】
2012017754.tif 000006
【図５】
2012017754.tif 000007
【図６】
2012017754.tif 000008
【図７】
2012017754.tif 000009
【図８】
2012017754.tif 000010
【図９】
2012017754.tif 000011
【国際調査報告】
2012017754.tif 000012
2012017754.tif 000013
2012017754.tif 000014
2012017754.tif 000015